(57)【特許請求の範囲】
【請求項１】
ステータコアに複数配列されたティース間のスロットに施された複数の相コイルの巻き方が波巻きである回転電機の固定子において、
前記相コイルは、第１波巻き束と第２波巻き束とに分かれており、且つ継ぎ目の無い連続線で形成されており、
前記第２波巻き束は、前記相コイル以外の他相コイルが収容される他相スロット群の一側に隣接する第１隣接スロットと、他側に隣接する第２隣接スロットとに通されており、
前記第１波巻き束は、前記他相スロット群以外にあって第１隣接スロットに隣接する第３隣接スロットと、前記他相スロット群以外にあって第２隣接スロットに隣接する第４隣接スロットとに通されており、
前記相コイルは、継ぎ目無しの連続線からなる相プリフォームコイルを前記第１〜第４隣接スロットに挿入して構成されており、
前記相プリフォームコイルは、前記第３，４隣接スロットに挿入される第１準波巻き束と、前記第１，２隣接スロットに挿入される第２準波巻き束とを備え、
前記第１準波巻き束は、第１凸状部と第１凹状部とを交互に並べた環状体であって、隣り合う前記第１凸状部と前記第１凹状部との間に、前記第３隣接スロット内又は前記第４隣接スロット内に配置される第１スロット通し部を備え、
前記第２準波巻き束は、前記第１凸状部と同数の第２凸状部と、前記第１凹状部と同数の第２凹状部とを交互に並べた環状体であって、隣り合う前記第２凸状部と前記第２凹状部との間に、前記第１隣接スロット内又は前記第２隣接スロット内に配置される第２スロット通し部を備え、
前記第２スロット通し部は、前記第１スロット通し部の内側にある回転電機の固定子。
【請求項２】
ステータコアに複数配列されたティース間のスロットに施された複数の相コイルの巻き方が波巻きである回転電機の固定子において、
前記相コイルは、前記相コイル以外の他相コイルが収容される他相スロット群に隣接する第１，２隣接スロットに挿入されている第２波巻き束と、第１，２隣接スロットに隣接する第３，４隣接スロットに挿入されている第１波巻き束とに分かれており、
前記相コイルは、継ぎ目無しの連続線からなる相プリフォームコイルを前記ステータコアの一端側の外方から前記スロットの長さ方向に前記スロット内へ挿入して形成されており、
前記相プリフォームコイルは、前記第３，４隣接スロットに挿入される第１準波巻き束と、前記第１，２隣接スロットに挿入される第２準波巻き束とを備えている回転電機の固定子。
【請求項３】
ステータコアに複数配列されたティース間のスロットに施された複数の相コイルの巻き方が波巻きである回転電機の固定子に用いる相プリフォームコイルにおいて、
前記相プリフォームコイルは、継ぎ目のない連続線で形成されており、
前記相プリフォームコイルは、第１準波巻き束と、第２準波巻き束と、前記第１準波巻き束と前記第２準波巻き束とを備え、
前記第１準波巻き束は、第１凸状部と第１凹状部とを交互に並べた環状体であって、隣り合う前記第１凸状部と前記第１凹状部との間に、前記スロット内に配置される第１スロット通し部を備え、
前記第２準波巻き束は、前記第１凸状部と同数の第２凸状部と、前記第１凹状部と同数の第２凹状部とを交互に並べた環状体であって、隣り合う前記第２凸状部と前記第２凹状部との間に、前記スロット内に配置される第２スロット通し部を備え、
前記第２スロット通し部は、前記第１スロット通し部の内側にある回転電機の固定子に用いる相プリフォームコイル。
【発明の詳細な説明】
【技術分野】
【０００１】
本発明は、ステータコアに複数配列されたティース間のスロットに施された複数の相コイルの巻き方が波巻きである回転電機の固定子及び固定子に用いる相プリフォームコイルに関する。
【背景技術】
【０００２】
回転電機における回転子の１回転当たりのトルク脈動は、コイルを施すスロットの数と極数との最小公倍数で発生する。トルク脈動の大きさは、１回転当たりのトルク脈動数が大きくなるほど小さくなる。そのため、特許文献１に開示のように多スロット化が求められている。
【０００３】
特許文献１に開示のモータ用ステータ（固定子）におけるコイルの巻き方は波巻きであり、Ｕ相コイル、Ｖ相コイル及びＷ相コイルが各相コイル毎に２群に分けられている。一方の相コイル群（第１波巻き束）を通すスロット群と、他方の相コイル群（第２波巻き束）を通すスロット群とは、分けられている。このような構成を採用することによって多スロット化が図られている。各相コイルを２群に分けた場合のスロット数は、各相コイルを２群に分けない場合のスロット数の２倍である。
【先行技術文献】
【特許文献】
【０００４】
【特許文献１】特開２００９−３３８３２号公報
【発明の概要】
【発明が解決しようとする課題】
【０００５】
特許文献１に開示のモータ用ステータでは、スロットに相コイルを施す場合には、２群の相コイル群をスロットに通した後に２群の相コイル群同士が渡り線で電気的に繋がれる。しかし、このような繋ぎ作業は、面倒であり、接続部を絶縁材で被覆して絶縁性を確保する必要もある。
【０００６】
本発明は、スロットに通した第１波巻き束と第２波巻き束とを後から電気的に繋がなくてよいようにすることを目的とする。
【課題を解決するための手段】
【０００７】
請求項１の発明は、ステータコアに複数配列されたティース間のスロットに施された複数の相コイルの巻き方が波巻きである回転電機の固定子を対象とし、請求項１の発明では、前記相コイルは、第１波巻き束と第２波巻き束とに分かれており、且つ継ぎ目の無い連続線で形成されており、前記第２波巻き束は、前記相コイル以外の他相コイルが収容される他相スロット群の一側に隣接する第１隣接スロットと、他側に隣接する第２隣接スロットとに通されており、前記第１波巻き束は、前記他相スロット群以外にあって第１隣接スロットに隣接する第３隣接スロットと、前記他相スロット群以外にあって第２隣接スロットに隣接する第４隣接スロットとに通されている。
【０００８】
第１波巻き束と第２波巻き束とが継ぎ目の無い連続線で形成されているため、スロットに通した第１波巻き束と第２波巻き束とを後から電気的に繋がなくてよい。なお、波巻き束は、３つ以上あってもよい。
【０００９】
また、請求項１の発明は、前記相コイルは、継ぎ目無しの連続線からなる相プリフォームコイルを前記第１〜第４隣接スロットに挿入して構成されており、前記相プリフォームコイルは、前記第３，４隣接スロットに挿入される第１準波巻き束と、前記第１，２隣接スロットに挿入される第２準波巻き束とを備え、前記第１準波巻き束は、第１凸状部と第１凹状部とを交互に並べた環状体であって、隣り合う前記第１凸状部と前記第１凹状部との間に、前記第３隣接スロット内又は前記第４隣接スロット内に配置される第１スロット通し部を備え、前記第２準波巻き束は、前記第１凸状部と同数の第２凸状部と、前記第１凹状部と同数の第２凹状部とを交互に並べた環状体であって、隣り合う前記第２凸状部と前記第２凹状部との間に、前記第１隣接スロット内又は前記第２隣接スロット内に配置される第２スロット通し部を備え、前記第２スロット通し部は、前記第１スロット通し部の内側にある。
【００１０】
請求項２の発明では、ステータコアに複数配列されたティース間のスロットに施された複数の相コイルの巻き方が波巻きである回転電機の固定子において、前記相コイルは、前記相コイル以外の他相コイルが収容される他相スロット群に隣接する第１，２隣接スロットに挿入されている第２波巻き束と、第１，２隣接スロットに隣接する第３，４隣接スロットに挿入されている第１波巻き束とに分かれており、前記相コイルは、継ぎ目無しの連続線からなる相プリフォームコイルを前記ステータコアの一端側の外方から前記スロットの長さ方向に前記スロット内へ挿入して形成されており、前記相プリフォームコイルは、前記第３，４隣接スロットに挿入される第１準波巻き束と、前記第１，２隣接スロットに挿入される第２準波巻き束とを備えている。
【００１１】
請求項３の発明では、ステータコアに複数配列されたティース間のスロットに施された複数の相コイルの巻き方が波巻きである回転電機の固定子に用いる相プリフォームコイルにおいて、前記相プリフォームコイルは、継ぎ目のない連続線で形成されており、前記相プリフォームコイルは、第１準波巻き束と、第２準波巻き束と、前記第１準波巻き束と前記第２準波巻き束とを備え、前記第１準波巻き束は、第１凸状部と第１凹状部とを交互に並べた環状体であって、隣り合う前記第１凸状部と前記第１凹状部との間に、前記スロット内に配置される第１スロット通し部を備え、前記第２準波巻き束は、前記第１凸状部と同数の第２凸状部と、前記第１凹状部と同数の第２凹状部とを交互に並べた環状体であって、隣り合う前記第２凸状部と前記第２凹状部との間に、前記スロット内に配置される第２スロット通し部を備え、前記第２スロット通し部は、前記第１スロット通し部の内側にある。
【発明の効果】
【００１２】
本発明の固定子は、スロットに通した第１波巻き束と第２波巻き束とを後から電気的に繋がなくてよいという優れた効果を奏する。
【図面の簡単な説明】
【００１３】
【図１】第１の実施形態を示す電動圧縮機の全体側断面図。
【図２】（ａ）は、図１のＡ−Ａ線断面図。（ｂ）は、部分拡大断面図。
【図３】波巻きを説明するための簡略図。
【図４】波巻きを説明するための簡略図。
【図５】スロットにコイルを挿入する方法を説明するための斜視図。
【図６】（ａ）は、第１準波巻き束を示す模式図。（ｂ）は、第１準波巻き束及び第２準波巻き束を示す模式図。
【図７】相プリフームコイルを示す模式図。
【発明を実施するための形態】
【００１４】
以下、本発明を電動圧縮機に具体化した一実施形態を図１〜図５に基づいて説明する。
図１に示す電動圧縮機１０は、スクロール型電動圧縮機である。回転電機Ｍを構成する回転子１１は、回転軸１２に止着されており、回転電機Ｍを構成する固定子１３は、モータハウジング１４の内周面に嵌合して固定されている。電動圧縮機１０を構成する圧縮動作体としての可動スクロール１５は、回転電機Ｍを構成する回転軸１２の回転によって旋回し、可動スクロール１５と固定スクロール１６との間の圧縮室１７が容積減少する。
【００１５】
モータハウジング１４の端壁１４１には導入ポート１４２が設けられている。導入ポート１４２は、図示しない外部冷媒回路に接続されており、外部冷媒回路から冷媒（ガス）が導入ポート１４２を介してモータハウジング１４内へ導入される。モータハウジング１４内へ導入された冷媒は、可動スクロール１５の旋回（吸入動作）によって、モータハウジング１４の内周面と固定子１３の外周面との間の通路１４３〔図２（ａ）に図示〕及び吸入ポート１８を経由して圧縮室１７へ吸入される。圧縮室１７内の冷媒は、可動スクロール１５の旋回（吐出動作）によって、圧縮されながら吐出ポート１９から吐出弁２０を押し退けて吐出室２１へ吐出される。吐出室２１内の冷媒は、外部冷媒回路へ流出してモータハウジング１４内へ還流する。
【００１６】
図２（ａ）に示すように、回転電機Ｍを構成する固定子１３は、環状のステータコア２２と、ステータコア２２の内周に複数配列されたティース２３間のスロット２４に施されたコイル２５とからなる。本実施形態の回転電機Ｍは、３相８極であり、ティース２３及びスロット２４の個数は、４８個である。スロット２４に施されたコイル２５は、波巻きで巻かれている。
【００１７】
図１に示すように、ステータコア２２は、磁性体（鋼板）製の複数枚のコア板３３を積層して構成されている。回転電機Ｍを構成する回転子１１は、ロータコア３４と、ロータコア３４内に埋設された複数の永久磁石３５とからなる。ロータコア３４は、磁性体（鋼板）製の複数枚のコア板３６を積層して構成されている。ロータコア３４の中心部には軸孔３４１が貫設されており、軸孔３４１には回転軸１２が通されて固定されている。
【００１８】
図２（ｂ）は、図２（ａ）の一部を表す。図２（ｂ）に示すように、コイル２５は、Ｕ相コイル２５Ｕ１，２５Ｕ２と、Ｖ相コイル２５Ｖ１，２５Ｖ２と、Ｗ相コイル２５Ｗ１，２５Ｗ２とからなる。
【００１９】
Ｕ相コイル２５Ｕ１とＵ相コイル２５Ｕ２とは、別々のスロット２４Ｕ１１，２４Ｕ１２とスロット２４Ｕ２１，２４Ｕ２２とに通されている。Ｕ相コイル２５Ｕ１は、スロット２４Ｕ１１，２４Ｕ１２に通された第１波巻き束であり、Ｕ相コイル２５Ｕ２は、スロット２４Ｕ２１，２４Ｕ２２に通された第２波巻き束である。
【００２０】
Ｖ相コイル２５Ｖ１とＶ相コイル２５Ｖ２とは、別々のスロット２４Ｖ１１，２４Ｖ１２とスロット２４Ｖ２１，２４Ｖ２２とに通されている。Ｖ相コイル２５Ｖ１は、スロット２４Ｖ１１，２４Ｖ１２に通された第１波巻き束であり、Ｖ相コイル２５Ｖ２は、スロット２４Ｖ２１，２４Ｖ２２に通された第２波巻き束である。
【００２１】
Ｗ相コイル２５Ｗ１とＷ相コイル２５Ｗ２とは、別々のスロット２４Ｗ１１，２４Ｗ１２とスロット２４Ｗ２１，２４Ｗ２２とに通されている。Ｗ相コイル２５Ｗ１は、スロット２４Ｗ１１，２４Ｗ１２に通された第１波巻き束であり、Ｗ相コイル２５Ｗ２は、スロット２４Ｗ２１，２４Ｗ２２に通された第２波巻き束である。
【００２２】
スロット２４Ｕ２１は、スロット２４Ｖ１１，２４Ｖ２１，２４Ｗ１１，Ｗ２１群の一側に隣接する第１隣接スロットである。スロット２４Ｕ２２は、スロット２４Ｖ１１，２４Ｖ２１，２４Ｗ１１，Ｗ２１群の他側に隣接する第２隣接スロットである。つまり、Ｕ相コイル２５Ｕ２は、Ｕ相コイル２５Ｕ１，２５Ｕ２以外の他相コイルが収容される他相スロット群の一側に隣接する第１隣接スロット（スロット２４Ｕ２１）と、他側に隣接する第２隣接スロット（スロット２４Ｕ２２）とに通されている。
【００２３】
スロット２４Ｕ１１は、第１隣接スロットであるスロット２４Ｕ２１に隣接する第３隣接スロットである。スロット２４Ｕ１２は、第２隣接スロットであるスロット２４Ｕ２２に隣接する第４隣接スロットである。つまり、Ｕ相コイル２５Ｕ１は、第１隣接スロット（スロット２４Ｕ２１）に隣接する第３隣接スロット（スロット２４Ｕ１１）と、第２隣接スロット（スロット２４Ｕ２２）に隣接する第４隣接スロット（スロット２４Ｕ１２）とに通されている。
【００２４】
スロット２４Ｖ２１は、スロット２４Ｕ１２，２４Ｕ２２，２４Ｗ１１，Ｗ２１群の一側に隣接する第１隣接スロットである。スロット２４Ｖ２２は、スロット２４Ｕ１２，２４Ｕ２２，２４Ｗ１１，Ｗ２１群の他側に隣接する第２隣接スロットである。つまり、Ｖ相コイル２５Ｖ２は、Ｖ相コイル２５Ｖ１，２５Ｖ２以外の他相コイルが収容される他相スロット群の一側に隣接する第１隣接スロット（スロット２４Ｖ２１）と、他側に隣接する第２隣接スロット（スロット２４Ｖ２２）とに通されている。
【００２５】
スロット２４Ｖ１１は、第１隣接スロットであるスロット２４Ｖ２１に隣接する第３隣接スロットである。スロット２４Ｖ１２は、第２隣接スロットであるスロット２４Ｖ２２に隣接する第４隣接スロットである。つまり、Ｕ相コイル２５Ｖ１は、第１隣接スロット（スロット２４Ｖ２１）に隣接する第３隣接スロット（スロット２４Ｖ１１）と、第２隣接スロット（スロット２４Ｖ２２）に隣接する第４隣接スロット（スロット２４Ｖ１２）とに通されている。
【００２６】
スロット２４Ｗ２１は、スロット２４Ｕ１２，２４Ｕ２２，２４Ｖ１１，Ｖ２１群の一側に隣接する第１隣接スロットである。スロット２４Ｗ２２は、スロット２４Ｕ１２，２４Ｕ２２，２４Ｖ１１，Ｖ２１群の他側に隣接する第２隣接スロットである。つまり、Ｗ相コイル２５Ｗ２は、Ｗ相コイル２５Ｗ１，２５Ｗ２以外の他相コイルが収容される他相スロット群の一側に隣接する第１隣接スロット（スロット２４Ｗ２１）と、他側に隣接する第２隣接スロット（スロット２４Ｗ２２）とに通されている。
【００２７】
スロット２４Ｗ１１は、第１隣接スロットであるスロット２４Ｗ２１に隣接する第３隣接スロットである。スロット２４Ｗ１２は、第２隣接スロットであるスロット２４Ｗ２２に隣接する第４隣接スロットである。つまり、Ｗ相コイル２５Ｗ１は、第１隣接スロット（スロット２４Ｗ２１）に隣接する第３隣接スロット（スロット２４Ｗ１１）と、第２隣接スロット（スロット２４Ｗ２２）に隣接する第４隣接スロット（スロット２４Ｗ１２）とに通されている。
【００２８】
図３及び図４は、波巻きを説明するための簡略図である。
図３に示すように、Ｕ相コイル２５Ｕ１の引き出し線２５Ｕｏは、インバータ１００のＵ相の端子１０１に接続されている。Ｖ相コイル２５Ｖ１の引き出し線２５Ｖｏは、インバータ１００のＶ相の端子１０２に接続されている。Ｗ相コイル２５Ｗ１の引き出し線２５Ｗｏは、インバータ１００のＷ相の端子１０３に接続されている。各相コイル２５Ｕ１，２５Ｖ１，２５Ｗ１の実線部分２５１，２５２，２５３は、固定子１３の手前の端面側に配線されたコイルエンド〔図１にはコイルエンド２５１を図示〕である。各相コイル２５Ｕ１，２５Ｖ１，２５Ｗ１の破線部分２５４，２５５，２５６は、固定子１３の向こう側の端面側に配線されたコイルエンド２５４，２５５，２５６〔図１にはコイルエンド２５４を図示〕である。各相コイル２５Ｕ１，２５Ｖ１，２５Ｗ１の実線部分と破線部分との繋ぎ部分は、スロット２４Ｕ１１，２４Ｕ１２，２４Ｖ１１，２４Ｖ１２，２４Ｗ１１，２４Ｗ１２を通っている部分である。
【００２９】
図４に示すように、Ｕ相コイル２５Ｕ２の引き出し線２５Ｕｎ、Ｖ相コイル２５Ｖ２の引き出し線２５Ｖｎ、及びＷ相コイル２５Ｗ２の引き出し線２５Ｗｎは、中性点Ｎで結線されている。各相コイル２５Ｕ２，２５Ｖ２，２５Ｗ２の実線部分は、固定子１３の手前の端面側に配線されたコイルエンドである。各相コイル２５Ｕ２，２５Ｖ２，２５Ｗ２の破線部分は、固定子１３の向こう側の端面側に配線されたコイルエンドである。各相コイル２５Ｕ２，２５Ｖ２，２５Ｗ２の実線部分と破線部分との繋ぎ部分は、スロット２４Ｕ２１，２４Ｕ２２，２４Ｖ２１，２４Ｖ２２，２４Ｗ２１，２４Ｗ２２を通っている部分である。
【００３０】
図５は、図示しないインサータを用いて相プリフォームコイル（図示の例ではＵ相プリフォームコイル２６Ｕ）をスロット２４Ｕ１１，２４Ｕ１２，２４Ｕ２１，２４Ｕ２２〔図３参照〕に挿入する状態を示す。Ｕ相プリフォームコイル２６Ｕは、継ぎ目の無い連続線の導線２６Ｌで形成されている。
【００３１】
図３に仮想線で示すように、Ｕ相プリフォームコイル２６Ｕは、第１準波巻き束２６Ｕ１と第２準波巻き束２６Ｕ２とに分けられている。第１準波巻き束２６Ｕ１は、スロット２４Ｕ１１，２４Ｕ１２に挿入されてＵ相コイル２５Ｕ１（第１波巻き束）となる。第２準波巻き束２６Ｕ２は、２４Ｕ２１，２４Ｕ２２に挿入されてＵ相コイル２５Ｕ２（第２波巻き束）となる。
【００３２】
Ｕ相プリフォームコイル２６Ｕがスロット２４Ｕ１１，２４Ｕ１２，２４Ｕ２１，２４Ｕ２２に挿入された後、Ｖ相プリフォームコイル（図示略）が前記のインサータを用いてスロット２４Ｖ１１，２４Ｖ１２，２４Ｖ２１，２４Ｖ２２に挿入される。Ｖ相プリフォームコイルがスロット２４Ｖ１１，２４Ｖ１２，２４Ｖ２１，２４Ｖ２２に挿入された後、Ｗ相プリフォームコイル（図示略）が前記のインサータを用いてスロット２４Ｗ１１，２４Ｗ１２，２４Ｗ２１，２４Ｗ２２に挿入される。
【００３３】
Ｖ相プリフォームコイル及びＷ相プリフォームコイルは、Ｕ相プリフォームコイル２６Ｕと同様に第１準波巻き束と第２準波巻き束とに分けられている。そこで、相プリフォームコイルの形成方法をＵ相プリフォームコイル２６Ｕについてのみ説明する。
【００３４】
図６（ａ）に示すように導線２６Ｌを複数回巻き回して第１準波巻き束２６Ｕ１が形成された後、図６（ｂ）に示すように導線２６Ｌの残りを複数回巻き回して第２準波巻き束２６Ｕ２が形成される。第１準波巻き束２６Ｕ１の巻き回し回数と、第２準波巻き束２６Ｕ２の巻き回し回数とは、同じである。
【００３５】
その後、第１準波巻き束２６Ｕ１及び第２準波巻き束２６Ｕ２が図７に示す形状に変形されてＵ相プリフォームコイル２６Ｕが形成される。環状の第２準波巻き束２６Ｕ２は、環状の第１準波巻き束２６Ｕ１の内側にある。環状の第１準波巻き束２６Ｕ１の環長（１回分の巻き回し長さ）は、環状の第２準波巻き束２６Ｕ２の環長（１回分の巻き回し長さ）と同じである。
【００３６】
図７に示すように、第１準波巻き束２６Ｕ１は、第１凸状部２７と第１凹状部２８とを交互に並べた環状体である。隣り合う第１凸状部２７と第１凹状部２８との間にはスロット２４Ｕ１１，２４Ｕ１２内に配置される第１スロット通し部２９が形成されている。
【００３７】
第１凸状部２７を間に置いて隣り合う一対の第１スロット通し部２９は、平行である。第１凸状部２７を間に置いて隣り合う一対の第１スロット通し部２９の間隔は、スロット２４Ｕ２１に隣接するスロット２４Ｕ１１と、スロット２４Ｕ２２に隣接するスロット２４Ｕ１２との間隔に合わせてある。
【００３８】
第２準波巻き束２６Ｕ２は、第２凸状部３０と第２凹状部３１とを交互に並べた環状体である。第２凸状部３０は、第１凸状部２７と同数あり、第２凹状部３１は、第１凹状部２８と同数ある。
【００３９】
隣り合う第２凸状部３０と第２凹状部３１との間にはスロット２４Ｕ２１，２４Ｕ２２内に配置される第２スロット通し部３２が形成されている。第２スロット通し部３２は、第１スロット通し部２９の内側（環状の第１準波巻き束２６Ｕ１の内径側）にある。第２スロット通し部３２は、第１スロット通し部２９と同数ある。
【００４０】
第２凸状部３０を間に置いて隣り合う一対の第２スロット通し部３２は、平行である。第２凸状部３０を間に置いて隣り合う一対の第２スロット通し部３２の間隔は、スロット２４Ｖ１１，２４Ｖ２１，２４Ｗ１１，２４Ｗ２１群の両側に隣接するスロット２４Ｕ２１，２４Ｕ２２の間隔に合わせてある。
【００４１】
連続線である導線２６Ｌの一端２６１は、第１凸状部２７から引き出されており、導線２６Ｌの他端２６２は、第１凸状部２７の内側の第２凸状部３０から引き出されている。一端２６１は、Ｕ相コイル２５Ｕ１の引き出し線２５Ｕｏ〔図３参照〕となり、他端２６２は、Ｕ相コイル２５Ｕ２の引き出し線２５Ｕｎ〔図４参照〕となる。
【００４２】
本実施形態では以下の効果が得られる。
（１）第１準波巻き束２６Ｕ１と第２準波巻き束２６Ｕ２とは、継ぎ目の無い連続線である導線２６Ｌによって形成されている。そのため、スロット２４Ｕ１１，２４Ｕ１２に通した第１波巻き束（Ｕ相コイル２５Ｕ１）と第２波巻き束（Ｕ相コイル２５Ｕ２）とを後から電気的に繋がなくてよく、多スロット化を図った固定子１３の製造が容易になる。
【００４３】
（２）モータハウジング１４内を冷媒が流通する本実施形態の電動圧縮機１０では、コイル２５の絶縁性の確保が重要である。第１波巻き束２５Ｕ１と第２波巻き束２５Ｕ２とを後から電気的に繋ぐとすると、この繋ぎ部の表面に絶縁材を施して絶縁性を確保する必要がある。しかし、第１波巻き束２５Ｕ１と第２波巻き束２５Ｕ２とを後から電気的に繋がなくてよいため、絶縁性を確保するための作業が不要となり、多スロット化を図った固定子１３の製造が容易になる。
【００４４】
（３）第１準波巻き束２６Ｕ１の巻き回し回数と、第２準波巻き束２６Ｕ２の巻き回し回数とが同じである。又、連続線である導線２６Ｌの一端２６１は、第１凸状部２７から引き出されており、導線２６Ｌの他端２６２は、第１凸状部２７の内側の第２凸状部３０から引き出されている。そのため、各スロット２４内の導線の本数は、全て同じとなり、コイル２５への供給電流が一定状態では、回転子１１の任意の回転角度でのトルクが同一となる。
【００４５】
本発明では以下のような実施形態も可能である。
○第２波巻き束を巻き回し形成した後に第１波巻き束を巻き回し形成してもよい。
○第１凸状部を間に置いて隣り合う一対の第１スロット通し部が平行でなくてもよい。
【００４６】
○第２凸状部を間に置いて隣り合う一対の第２スロット通し部が平行でなくてもよい。
○固定子の周囲で回転子が回転する回転電機（アウターロータ）の固定子に本発明を適用してもよい。
【００４７】
○相コイルは、３つ以上の波巻き束に分かれていてもよい。すなわち、第１波巻き束の第２波巻き束とは反対側に更なる波巻き束を有していてもよい。
○スクロール型圧縮機以外の電動圧縮機（例えばピストン式圧縮機）に本発明を適用してもよい。
【００４８】
前記した実施形態から把握できる技術思想について以下に記載する。
（イ）前記第２準波巻き束は、前記第１準波巻き束の内側にある回転電機の固定子に用いる相プリフォームコイル。
【００４９】
（ロ）前記連続線の一端は、前記第１凸状部から引き出されており、前記連続線の他端は、該第１凸状部の内側の第２凸状部から引き出されている回転電機の固定子に用いる相プリフォームコイル。
【符号の説明】
【００５０】
１０…電動圧縮機。１３…固定子。２２…ステータコア。２３…ティース。２４，２４Ｖ１１，２４Ｖ１２，２４Ｖ２１，２４Ｖ２２，２４Ｗ１１，２４Ｗ１２，２４Ｗ２１，２４Ｗ２２…スロット。２４Ｕ２１…第１隣接スロット。Ｕ２２…第２隣接スロット。２４Ｕ１１…第３隣接スロット。２４Ｕ１２…第４隣接スロット。２５Ｕ１…第１波巻き束であるＵ相コイル。２５Ｕ２…第２波巻き束であるＵ相コイル。２５Ｖ１…第１波巻き束であるＶ相コイル。２５Ｖ２…第２波巻き束であるＶ相コイル。２５Ｗ１…第１波巻き束であるＷ相コイル。２５Ｗ２…第２波巻き束であるＷ相コイル。２６Ｕ…Ｕ相プリフォームコイル。２６Ｕ１…第１準波巻き束。２６Ｕ２…第２準波巻き束。２６Ｌ…連続線としての導線。２６１…一端。２６２…他端。２７…第１凸状部。２８…第１凹状部。２９…第１スロット通し部。３０…第２凸状部。３１…第２凹状部。３２…第２スロット通し部。Ｍ…回転電機。
【図１】
0005533029.tif 000002
【図２】
0005533029.tif 000003
【図３】
0005533029.tif 000004
【図４】
0005533029.tif 000005
【図５】
0005533029.tif 000006
【図６】
0005533029.tif 000007
【図７】
0005533029.tif 000008